(57)【特許請求の範囲】
【請求項１】
空気を本体内に吸い込む吸気口と、前記本体内に収納され前記吸気口から吸い込まれた空気を取り入れて高圧空気流を発生する送風機と、この送風機により発生された高圧空気流を前記本体外へ噴出するノズルと、前記吸気口と前記送風機とを接続する吸気風路と、前記送風機と前記ノズルとを接続する排気風路と、前記本体内に設けられた消音部材とを備え、前記消音部材は、複数の開口部が形成された前面部とこの前面部と空気層を介して対向する背面部とを有する箱体であることを特徴とする手乾燥装置。
【請求項２】
前記消音部材を前記吸気風路内に設けたことを特徴とする請求項１記載の手乾燥装置。
【請求項３】
前記消音部材を前記排気風路内に設けたことを特徴とする請求項１記載の手乾燥装置。
【請求項４】
前記消音部材を前記送風機を収納する収納部内に設けたことを特徴とする請求項１記載の手乾燥装置。
【請求項５】
前記消音部材を前記本体の前面パネルに設けたことを特徴とする請求項１記載の手乾燥装置。
【請求項６】
空気を本体内に吸い込む吸気口と、前記本体内に収納され前記吸気口から吸い込まれた空気を取り入れて高圧空気流を発生する送風機と、この送風機により発生された高圧空気流を前記本体外へ噴出するノズルと、前記吸気口と前記送風機とを接続する吸気風路と、前記送風機と前記ノズルとを接続する排気風路と、前記本体内に設けられた消音部材とを備え、前記消音部材は、薄膜で形成された前面部とこの前面部と空気層を介して対向する背面部とを有する箱体であることを特徴とする手乾燥装置。
【発明の詳細な説明】
【０００１】
【発明の属する技術分野】
本発明は、濡れた手を乾燥させるための手乾燥装置に関するものである。
【０００２】
【従来の技術】
従来の濡れた手を乾燥させる手乾燥装置としては、特開平７−１１６０７６号公報に掲載の技術が知られている。
【０００３】
図９はこの公報に掲載された従来の手乾燥装置の断面図である。図において、１０１は手乾燥装置の本体である本体、１０２は本体１０１の正面上部に、正面側と両側面側を開口して形成された凹状の手挿入部、１０３は高圧空気流を発生する送風機、１０４ａ、１０４ｂは送風機１０３により発生された高圧空気流を噴出するノズル、１０５はノズル１０４ａ、１０４ｂから噴出された高圧空気流により手から吹き飛ばされた水を排水する排水口、１０６は排水口１０５からのドレン水を下方の着脱可能なドレンタンク１０７に導くための本体に固定された排水管である。
【０００４】
１０８は本体１０１の下方に設けられた吸気口でありフィルタ１０９が取り付けられている。１１０は送風機１０３の吸気口、１１１は吸気口１０８と１１０を連通する吸気ダクト、１１５は送風機１０３からの高圧空気流を手挿入部１０２に設けられたノズル１０４ａ、１０４ｂに導く排気ダクトである。
【０００５】
上述のように構成された手乾燥装置は、洗浄後の濡れた手を手挿入部１０２へ入れると、手挿入部１０２に設けられたセンサー（図示せず）が手を検知して送風機１０３が作動する。送風機１０３が作動すると、本体１０１の下部の吸気口１０８からフィルター１０９を介して空気が流入し、吸気ダクト１１１を通って、送風機１０３の吸気口１１０から送風機１０３に入り、高圧化される。
【０００６】
送風機１０３を通過した空気は高圧空気流となり、排気ダクト１１５を通り、ノズル１０４ａ、１０４ｂから噴出され、手に付着していた水滴を吹き飛ばし乾燥させる。吹き飛ばされた水滴は手挿入部１０２の内壁を伝わって流れ、排水口１０５に入り排水管１０６を通ってドレンタンク１０７に流れ込む。
【０００７】
【発明が解決しようとする課題】
このように構成された手乾燥装置は、高速の空気流を濡れた手に当て、手に付着している水滴を吹き飛ばして短時間乾燥をするものであるため、高圧空気流を発生させる送風機１０３の回転音が大きく、市場では更なる低騒音化が要望されている。低騒音化を実現するためには、送風機１０３の回転に起因する音、例えば約３ｋＨｚのピーク音や、送風機１０３の回転時に発生する音がノズル１０４や本体１０１の下部の吸気口１０８などから漏れる音、また、送風機１０３自体の音を低下させることが必要である。
【０００８】
従来は、吸気口１０８からノズル１０４に至る風路内にウレタン等の吸音材を貼り付けて騒音の低減を図っていたが、吸音材を貼り付けても、高音域の周波数はある程度低減できるものの、ピーク音を低下させることはできないという課題があった。特に、手乾燥装置は、掃除機等と異なり、吸気口１０８と送風機１０３が近くに配置されるため、ピーク音の問題が大きい。また、ノズル１０４や吸気口１０８から漏れる音の低減が不充分であるという課題があった。
【０００９】
本発明は、このような課題を解決し、騒音を低減することができる手乾燥装置を得ることを目的とする。
【００１０】
【問題を解決するための手段】
この発明に係る手乾燥装置は、空気を本体内に吸い込む吸気口と、前記本体内に収納され前記吸気口から吸い込まれた空気を取り入れて高圧空気流を発生する送風機と、この送風機により発生された高圧空気流を前記本体外へ噴出するノズルと、前記吸気口と前記送風機とを接続する吸気風路と、前記送風機と前記ノズルとを接続する排気風路と、前記本体内に設けられた消音部材とを備え、前記消音部材を、複数の開口部が形成された前面部とこの前面部と空気層を介して対向する背面部とを有する箱体としたものである。
【００１１】
また、消音部材を吸気風路内に設けたものである。
また、消音部材を排気風路内に設けたものである。
また、消音部材を送風機を収納する収納部内に設けたものである。
また、消音部材を本体の前面パネルに設けたものである。
【００１２】
また、空気を本体内に吸い込む吸気口と、前記本体内に収納され前記吸気口から吸い込まれた空気を取り入れて高圧空気流を発生する送風機と、この送風機により発生された高圧空気流を前記本体外へ噴出するノズルと、前記吸気口と前記送風機とを接続する吸気風路と、前記送風機と前記ノズルとを接続する排気風路と、前記本体内に設けられた消音部材とを備え、前記消音部材を、薄膜で形成された前面部とこの前面部と空気層を介して対向する背面部とを有する箱体としたものである。
【００１３】
【発明の実施の形態】
以下、本発明の実施の形態について説明する。
図１はこの実施の形態１における手乾燥装置の断面図である。図において、１は手乾燥装置の本体である箱体であり、本体１の正面は前パネル１ａで構成され、側面は側面パネル（図示せず）で構成されている。２はこの本体１の正面上部に、正面側と両側面側を開口して形成された凹状の手挿入部であり、奥側へ向かって傾斜している。手挿入部２の内壁表面には、シリコン系もしくはフッ素系等の撥水性コ−ティング、又は酸化チタン等の親水性があるコ−ティング、又は抗菌剤含浸させ、内壁表面の汚れ付着の低減、及び菌の繁殖の低減を図っている。
【００１４】
３は高圧空気流を発生する遠心式の送風機であり、手挿入部２の下方に設けられている。送風機３は、例えば、ばね材やゴム材、粘弾性体等の防振部材を介して本体に固定され、送風機３の振動、騒音を抑止する構造となっている。図２に送風機３を側方から見た一部断面図、図３に送風機３の上面図を示す。図２に示すように、送風機３は電動機部３１と羽根車部３２から構成され、羽根車部３２は外郭のスクロールケーシング３３及びその内側で回転する遠心式の羽根３４を有している。羽根３４は電動機部３１の電動機の回転軸３５にナット３６で固定され、送風機３の下部すなわち羽根３４側には吸気口３７が設けられている。また、図３に示すように、羽根車部３２の上部外周には複数の排気口３８が形成されている。ここで、排気口３８の一部は塞がれており、図では塞がれた部分を斜線で示している。なお、排気口３８の開口面積を小さくするためには、排気口３８の数を減らしてもよいし、各排気口３８を小さく形成してもよい。
【００１５】
電動機が回転すると、羽根３４が回転し、吸込口３７から空気が吸い込まれ、排気口３８から高圧空気流として排出される。羽根３４は、高圧・大風量の空気を出力する為に毎分１５０００〜３００００回転で回転させている。更に高圧を狙う場合は、毎分３００００回転以上にすることもある。
【００１６】
図１において、４ａ、４ｂは手挿入部２の入口の手前側と奥側に対向して設けられ送風機３により発生された高圧空気流を噴出するノズルである。このノズル４ａ、４ｂは、手挿入部２に挿入した手を擦り合せることなく、手に付着した水滴を手の表裏から排除できるように、手の甲側と掌側の双方に風を同時に当て、且つ、入口から奥への圧力勾配を形成するような傾斜を有して設けられている。５はノズル４ａ、４ｂから噴出された高圧空気流により手から吹き飛ばされた水を排水する排水口、６は排水口５からのドレン水を本体１の下方に着脱可能に設けられたドレンタンク７に導くための排水管であり、本体１内に固定されている。
【００１７】
８は本体１の下部に設けられた吸気口であり、空気中の埃などを除去する着脱可能なフィルタ９が取り付けられている。１１は本体１下部の吸気口８と送風機の吸気口３７を連通する吸気風路である吸気ダクトであり、背面側からほぼ水平方向に設けられた遮蔽板１２によって途中３ヵ所で風路がほぼ直角に曲げられている。図１に示す手乾燥装置をＡ−Ａで切断した場合の断面図を図４に示す。図４に示すように、遮蔽板１２は吸気ダクト１１の両側面に接している。
【００１８】
１４は送風機３の上方に形成された排気連絡口であり、送風機３を収納している空間と次に説明する排気ダクト１５ａ、１５ｂとを連通している。排気ダクト１５ａ、１５ｂは送風機３の排気口３８から排気され排気連絡口１４を通った高圧空気流を手挿入部２に設けられたノズル４ａ、４ｂに導くものであり、本体１の前面側と背面側にそれぞれ形成されている。このように、本体１内には、送風機３の排気口３８からノズル４ａ、４ｂに至る排気風路が形成されている。
【００１９】
また、１６ａと１６ｂは手を検知するセンサーであり、１６ａは発光素子で手挿入部２の手前側の上部と下部に設けられ、１６ｂは受光素子で手挿入部２の奥側に１つ設けられている。また、受光素子１６ｂが設けられている基板には手挿入部２や挿入される手を照明する照明用発光素子が設けられている。
【００２０】
２１は消音部材であり、この実施の形態１においては本体内の複数箇所に設けられている。すなわち、本体１の前パネル１ａの内側に第１の消音部材２１ａ、吸気ダクト１１の前面部１１ａに第２の消音部材２１ｂ、遮蔽板１２の下面に第３の消音部材２１ｃ、遮蔽板１２の上面に第４の消音部材２１ｄ、送風機３の筒状の収納部の内壁面に第５の消音部材２１ｅ、排気連絡口１４の上面、すなわち手挿入部２の下方を覆うカバーの下面に第６の消音部材２１ｆ、背面側の排気ダクト１５ｂの背面部１５ｃの上部に第７の消音部材２１ｇがそれぞれ設けられている。
【００２１】
図５に消音部材２１の構成を示す。図に示すように、消音部材２１は、前面部２２とこの前面部２２と空気層２４を介して対向する背面部２３とを有する箱体である。なお、図においては、消音部材２１の一側面を切断して示している。前面部２２には複数の開口部である円形穴２５が形成され、消音部材２１はこの円形穴２５以外に開口部がないように形成されている。
【００２２】
また、第１の消音部材２１ａでは前パネル１ａが背面部２３に相当し、前面部２２は本体１の内側に配置されている。また、第２の消音部材２１ｂでは吸気ダクト１１の前面板１１ａが背面部２３に相当し、吸気ダクト１１の風路に面する側に前面部２２を配置している。第３の消音部材２１ｃでは遮蔽板１２の下面が背面部２３に相当し、吸気ダクト１１の風路に面する側に前面部２２を配置している。第４の消音部材２１ｄでは遮蔽板１２の上面が背面部２３に相当し、吸気ダクト１１の風路に面する側に前面部２２を配置している。
【００２３】
また、第５の消音部材２１ｅでは送風機３の筒状の収納部の内壁が背面部２３に相当し、排気風路に面する側に筒状の前面部２２を配置している。第６の消音部材２１ｆでは排気連絡口１４の上面を構成する構成部材が背面部２３に相当し、排気風路に面する側に前面部２２を配置している。第７の消音部材２１ｇでは排気ダクト１５ｂの背面板１５ｃが背面部２３に相当し、排気風路に面する側に前面部２２を配置している。
【００２４】
この消音部材２１は、円形穴２５の数や大きさ、空気層２４の厚みなどに応じて低減できる音の周波数が決まるものである。空気の音速（３４０００ｃｍ／ｓｅｃ）をＣ0、円形穴２５の直径をｄ〔ｃｍ〕、円形穴２５の断面積をａ〔ｃｍ2〕、空気層の容積をＶ〔ｃｍ3〕、前面部の板厚をＬ0〔ｃｍ〕とすると、その共鳴周波数ｆは下式のようになる。
【００２５】
【数１】
0003630137.tif 000002
【００２６】
この実施の形態においては、上式によって、共鳴周波数ｆが送風機３の回転音、すなわちピーク音の周波数に合致するように、円形穴２５の数や大きさ、前面部２２の厚み、空気層２４の厚みなどを最適に設定している。
【００２７】
なお、この実施の形態においては、消音部材２１ａ〜２１ｇは、本体１の一部を背面部２３として用いているが、消音部材２１を別個の箱体として形成し、本体１内の適当な場所にネジ止めや接着によって取り付けるようにしてもよい。このように構成した場合には、消音部材２１が不用になったときには容易に取り外すことができる。
【００２８】
次に、以上のように構成された手乾燥装置の動作を説明する。手を手首付近まで手挿入部２へ挿入すると、センサー１６ａ、１６ｂが手を検知し、送風機３が作動し、それによって本体１下部の吸気口８よりフィルタ９を通過して空気が吸気される。吸気口８から上方に吸い込まれた空気は遮蔽板１２の下面に設けられた消音部材２１ｃに当たって本体前方に流れ、吸気ダクト１１の前面部に設けられた消音部材２１ｂに当たって再び風路がほぼ直角に曲げられて上方に進み、消音部材２１ｄの上面に沿って横方向に流れて送風機３の吸気口３７から送風機３内に吸い込まれる。
【００２９】
このように、風路がほぼ直角に曲った部分では入射波と反射波の位相差から、ある特定の周波数を中心に減音効果が得られる。それによって送風機３の羽根車部３２から発生した流体音が吸気口８から外部に漏れるのを防ぐことができる。さらに、吸気ダクト１１内には消音部材２１ｂ、２１ｃ、２１ｄが設けられているため、送風機３のピーク音を効果的に低減でき、騒音が吸気口８から外部に漏れるのを防ぐことができる。
【００３０】
送風機３に吸い込まれた空気は高圧空気流となり、排気口３８から排出される。ここで、排気口３８は従来のものより少なく形成されているので、送風機３自体から発生する音を遮断することができる。排気口３８から排気された高圧空気流は、排気連絡口１４を通って排気ダクト１５ａ、１５ｂに分かれ、ノズル４ａ、４ｂから噴出される。送風機３の排気口３８からノズル４ａ、４ｂに至る排気風路には消音部材２１ｅ、２１ｆ、２１ｇが設けられているため、送風機３のピーク音は低減され、騒音がノズル４ａ、４ｂから外部に漏れるのを防ぐことができる。特に、音源に近い送風機３の収納部の内壁に設けられた消音部材２１ｅによってピーク音は効果的に低減される。また、前面パネル１ａの内側にも少なくとも送風機３に対向する位置に消音部材２１ａを設けたので、ピーク音が外部に漏れるのを防止できる。
【００３１】
ノズル４ａ、４ｂより噴出された高圧空気流が手挿入部２内に挿入された手に当たり、手の表面に付着していた水を水滴として吹き飛ばす。さらに、手挿入部２内で手を挿抜させることによって、手全体に付着していた水滴がすべて排除され手が乾燥する。そして手の乾燥後、手を手挿入部２から完全に抜くと、センサー１６ａ、１６ｂが手を検知しなくなるため、送風機３が停止する。
【００３２】
このように、この実施の形態１によれば、消音部材２１ａ〜２１ｇや吸気ダクト１１の構造により、手乾燥装置の騒音を低減することができる。なお、消音部材２１ａ〜２１ｇは、全てが必要なのではなく、効果、コストなどに応じて適所に設ければ良い。
【００３３】
実施の形態２．
図６にこの発明における手乾燥装置に用いられる消音部材の他の例を示す。消音部材以外の構成及び動作は上記実施の形態１と同様であるので、説明は省略する。この実施の形態における消音部材２１０は、スリット穴２６を有する前面部２７と、背面部２３、及び前面部２７と背面部２３の間に形成された空気層２４とから構成される。この消音部材２１０においても、低下させたい送風機３のピーク音の周波数に合致するように、スリット穴２６の数や大きさ、空気層２４の厚みなどを最適に設定している。したがって、この実施の形態２によっても、上記実施の形態１と同様に、送風機３のピーク音を低減でき、手乾燥装置全体の騒音を低減することができる。
【００３４】
実施の形態３．
図７にこの発明における手乾燥装置に用いられる消音部材の他の例を示す。消音部材以外の構成及び動作は上記実施の形態１と同様であるので、説明は省略する。この実施の形態における消音部材２１１は、前面に設けられた多孔質体２８と、背面部２３、及び多孔質体２８と背面部２３の間に形成された空気層２４とから構成される。この消音部材２１１においては、低下させたい送風機３のピーク音の周波数に合致するように、多孔質体２８の厚み、空気層２４の厚みなどを最適に設定している。したがって、この実施の形態３によっても、上記実施の形態１と同様に、送風機３のピーク音を低減でき、手乾燥装置全体の騒音を低減することができる。
【００３５】
実施の形態４．
図８にこの発明における手乾燥装置に用いられる消音部材の他の例を示す。消音部材以外の構成及び動作は上記実施の形態１と同様であるので、説明は省略する。この実施の形態における消音部材２１２は、前面に設けられた薄膜２９と、背面部２３、及び薄膜２９と背面部２３の間に形成された空気層２４とから構成される。この消音部材２１２においては、低下させたい送風機３のピーク音の周波数に合致するように、薄膜２９の厚み、空気層２４の厚みなどを最適に設定している。したがって、この実施の形態４によっても、上記実施の形態１と同様に、送風機３のピーク音を低減でき、手乾燥装置全体の騒音を低減することができる。
【００３６】
【発明の効果】
この発明によれば、手乾燥装置の騒音を低減することができる。
【００３７】
特に、消音部材を吸気風路内に設けたので、吸気口から漏れる音を低減することができる。
【００３８】
また、消音部材を排気風路内に設けたので、ノズルから漏れる音を低減することができる。
【００３９】
また、消音部材を送風機を収納する収納部内に設けたので、送風機から発生する音を効果的に低減することができる。
【００４０】
また、消音部材を本体の前面パネルに設けたので、本体から前方に漏れる音を低減することができる。
【００４１】
【図面の簡単な説明】
【図１】本発明の手乾燥装置の断面図である。
【図２】本発明の手乾燥装置の送風機の一部断面図である。
【図３】本発明の手乾燥装置の送風機の上面図である。
【図４】図1に示す手乾燥装置のＡ−Ａ断面図である。
【図５】本発明の実施の形態１における消音部材の斜視図である。
【図６】本発明の実施の形態２における消音部材の斜視図である。
【図７】本発明の実施の形態３における消音部材の斜視図である。
【図８】本発明の実施の形態４における消音部材の斜視図である。
【図９】従来の手乾燥装置の断面図である。
【符号の説明】
１  本体、２  手挿入部、３  送風機、４ａ、４ｂ  ノズル、８  吸気口、１１  吸気ダクト、１２  遮蔽板、１５ａ、１５ｂ  排気ダクト、２１ａ〜２１ｇ  消音部材、２２、２７、２８、２９  前面部、２３  背面部、３８  排気口。
【図１】
0003630137.tif 000003
【図２】
0003630137.tif 000004
【図３】
0003630137.tif 000005
【図４】
0003630137.tif 000006
【図５】
0003630137.tif 000007
【図６】
0003630137.tif 000008
【図７】
0003630137.tif 000009
【図８】
0003630137.tif 000010
【図９】
0003630137.tif 000011